(57)【特許請求の範囲】
【請求項１】
処理空気を通す直線状の多数の通路を全体に有し、可逆的な吸放湿機能を備えた静止型の除湿器を、出口端と入口端とが箱型の本体ケーシングの一側部側においてそれぞれ室内に開口する通風路の途中に介在させ、この通風路の前記除湿器より前記入口端側には、前記通風路に前記入口端から前記除湿器の通路を経て前記出口端へ向う空気流を形成する送風機を組込み前記除湿器側への通風路を構成し、前記通風路の前記除湿器より前記出口端側には、通過する空気を昇温する加熱手段を組込むとともに、また、前記送風機からの空気流を前記出口端側より前記除湿器を通って、前記除湿器の前記入口端側から前記本体ケーシングの室外側へ通じる排気通路を構成し、前記除湿器側への通風路の前記除湿器と前記送風機との間には、前記除湿器側への通風路と前記排気通路とを切り換える切換ダンパを設け、前記切換ダンパは前記排気通路の開閉を行い、また、前記送風機からの空気流を前記出口端側より前記除湿器を通る前記排気通路に開閉ダンパを設け、前記開閉ダンパを開にし、前記切換ダンパを前記送風機から前記除湿器への通風路を閉じるとともに前記排気通路を室外に通じるように開とする再生用通路を設けたことを特徴とする静止型除湿装置。
【請求項２】
請求項１に記載の静止型除湿装置であって、本体ケーシングを建物の室内外を仕切る壁体に開けた換気開口部の四角の口枠に挿通できる大きさにし、前記口枠に挿通される静止型除湿装置。
【請求項３】
請求項１又は請求項２のいずれかに記載の静止型除湿装置であって、除湿器を複数個に分割するとともに、それらを屏風状に配列させて通風路を横断させた静止型除湿装置。
【請求項４】
請求項１又は請求項２のいずれかに記載の静止型除湿装置であって、除湿器を二分割構成にするとともに、それらを屏風状にくの字に配列させて通風路を横断させた静止型除湿装置。
【請求項５】
請求項１〜請求項４までのいずれかに記載の静止型除湿装置であって、排気通路を開閉する切換ダンパにより、排気通路を送風機の吹出側に直接的に連絡できるようにした静止型除湿装置。
【請求項６】
請求項１〜請求項５までのいずれかに記載の静止型除湿装置であって、加熱手段及び除湿器を設けた部分の通風路を断熱構造とした静止型除湿装置。
【請求項７】
請求項１〜請求項６までのいずれかに記載の静止型除湿装置であって、再生用通路の開閉を風圧により開閉するバネ付勢式の開閉ダンパにより行なうようにした静止型除湿装置。
【請求項８】
請求項１〜請求項７までのいずれかに記載の静止型除湿装置であって、本体ケーシングの室内側には、室内の空気を循環させる循環用送風機を設けた静止型除湿装置。
【請求項９】
請求項１〜請求項７までのいずれかに記載の静止型除湿装置であって、本体ケーシングの室内側には、室内の空気を循環させる循環用送風機を着脱可能に設けた静止型除湿装置。
【請求項１０】
請求項１〜請求項８までのいずれかに記載の静止型除湿装置であって、除湿運転においては運転開始時には必ず再生用通路の開放による除湿器の再生から始まるようにした静止型除湿装置。
【発明の詳細な説明】
【０００１】
【発明の属する技術分野】
本発明は、静止型の除湿器を使った静止型除湿装置に関するものである。
【０００２】
【従来の技術】
上記この種の装置としては、例えば浴室を乾燥雰囲気にして衣類等の乾燥室として利用できるようにする乾燥装置が知られており、除湿器が回転するものとしないものとに大別できる。前者は、例えば特開平８―３５６９６号公報や実開平６―１０７８２号公報及び特開平７―１８０９５６号公報に示されているように、可逆的な吸湿と放湿とが可能な除湿ロータを除湿器として使ったものである。後者は、例えば特開平５―１６４３５９号公報や、特開昭６３―２８７５３２号公報並びに特開平１―２８７５３２号公報に示されているように、可逆的な吸湿と放湿とが可能な静止型の除湿器を使ったものである。
【０００３】
除湿ロータによる乾燥装置は、連続的な除湿処理が可能なものの、回転型のため通風路の基本的な断面形状は円形になり、装置の形状に対する自由度が小さくなり勝ちである。従って、建物の室内外を仕切る壁体に開けた標準的な寸法の換気開口部を使って取付けることが困難であり、面倒な取付工事が必要である。また、回転する除湿ロータへ気流を送り込む部分の動シールが必要であるうえ、回転機構部分の構成も結構複雑になるため、高価な装置となる。一方、静止型の除湿器によるものは、除湿器が動かない構成であるため、動シールや回転機構部分が不要で簡素な構成を採ることができ製造も比較的容易である。
【０００４】
除湿器自体は、回転型も静止型もシリカゲル等の吸湿剤を付着させたコルゲート材やハニカム材を巻成形して円柱状に構成したり、積層して六面体のブロックとして構成したりしている。こうした構成の除湿器の通路に処理空気を通せば、除湿され乾燥空気が得られる。また、吸湿した除湿器の通路に加熱した空気を通せば、除湿器は放湿され、再生されて再び除湿機能を発揮する。
【０００５】
特開昭６３―２８７５３２号公報に示された静止型の除湿器による除湿技術は、除湿器に室内の空気を通した後、再び室内へ戻す除湿過程と、室内又は室外の空気を加熱した後に除湿器に通し、室外へ排気する再生過程とを交互に繰り返すようにしたものである。この技術を応用した乾燥装置は、図１１に示すように静止型の除湿器１０１が室内空気を循環させる通風路１０２中に通風可能に設けられ、通風路１０２に設けられたダンパ１０３を切換えて除湿・再生（換気）を交互に繰り返すように構成されている。除湿器１０１には除湿過程においても再生過程においても同方向の空気流が流れ込み、除湿器１０１の上流側には再生過程で空気流を加熱するヒーター１０４が設けられている。
【０００６】
【発明が解決しようとする課題】
上記のような従来の静止型の除湿器１０１を使った乾燥装置ないしは除湿装置は、除湿器１０１自体の除湿機能を十分に引き出せず、性能に不満が残るものであった。即ち、この種の除湿器１０１の吸湿能力は温度に影響され、温度が低い程吸湿能力が高い特性を有するが、除湿過程と再生過程での除湿器１０１を流れる気流の向きが同一方向であるため、再生過程から除湿過程へ移行する際には、いつも再生過程で高温になった側から気流が流れ込むことになり、除湿器１０１の特性を生かし切れない。
【０００７】
また、乾燥装置には従来の技術の項でも触れたように再生過程を行なう構成を利用して換気も行ない得るようにしたものも多いが、上記した従来の静止型の乾燥装置では、換気運転においても除湿器１０１を介して室内空気を排出することになるため、小風量の換気しかできず、大風量での換気を必要とする場合には対応することができないものである。さらに、除湿機能を発揮するには結構大きな容積の除湿器１０１が必要なため、装置も大きくなり建物の室内外を仕切る壁体に開けた標準的な寸法（１５０ｍｍ×２００ｍｍ）の換気開口部を使って取付けることができなかった。
【０００８】
本発明は上記した従来の問題点を解消するためになされたもので、その課題とするところは、静止型の除湿器を用いたコンパクトで取付性の良い静止型除湿装置を得ることであり、静止型の除湿器の除湿機能をより良く引き出すことができる静止型除湿装置を得ることであり、その装置の機能の向上を図ることである。
【０００９】
【課題を解決するための手段】
前記課題を達成するために請求項１の発明は、処理空気を通す直線状の多数の通路を全体に有し、可逆的な吸放湿機能を備えた静止型の除湿器を、出口端と入口端とが箱型の本体ケーシングの一側部側においてそれぞれ室内に開口する通風路の途中に介在させ、通風路の除湿器より入口端側には、通風路に入口端から除湿器の通路を経て出口端へ向う空気流を形成する送風機を組込み除湿器側への通風路を構成し、通風路の除湿器より出口端側には、通過する空気を昇温する加熱手段を組込むとともに、また、送風機からの空気流を出口端側より除湿器を通って、除湿器の入口端側から本体ケーシングの室外側へ通じる排気通路を構成し、除湿器側への通風路の除湿器と送風機との間には、除湿器側への通風路と排気通路とを切り換える切換ダンパを設け、切換ダンパは排気通路の開閉を行い、また、送風機からの空気流を出口端側より除湿器を通る排気通路に開閉ダンパを設け、開閉ダンパを開にし、切換ダンパを送風機から除湿器への通風路を閉じるとともに排気通路を室外に通じるように開とする再生用通路を設ける手段を採用する。
【００１０】
前記課題を達成するために請求項２の発明は、請求項１に係る前記手段における本体ケーシングを建物の室内外を仕切る壁体に開けた換気開口部の四角の口枠に挿通できる大きさにし、口枠に挿通されるようにする手段を採用する。
【００１１】
前記課題を達成するために請求項３の発明は、請求項１又は請求項２のいずれかに係る前記手段における除湿器を複数個に分割するとともに、それらを屏風状に配列させて通風路を横断させる手段を採用する。
【００１２】
前記課題を達成するために請求項４の発明は、請求項１又は請求項２のいずれかに係る前記手段における除湿器を二分割構成にするとともに、それらを屏風状にくの字に配列させて通風路を横断させる手段を採用する。
【００１３】
前記課題を達成するために請求項５の発明は、請求項１〜請求項４までのいずれかに係る前記手段における排気通路を開閉する切換ダンパにより、排気通路を送風機の吹出側に直接的に連絡できるようにする手段を採用する。
【００１４】
前記課題を達成するために請求項６の発明は、請求項１〜請求項５までのいずれかに係る前記手段における加熱手段及び除湿器を設けた部分の通風路を断熱構造とする手段を採用する。
【００１５】
前記課題を達成するために請求項７の発明は、請求項１〜請求項６までのいずれかに係る前記手段における再生用通路の開閉を風圧により開閉するバネ付勢式の開閉ダンパにより行なうようにする手段を採用する。
【００１６】
前記課題を達成するために請求項８の発明は、請求項１〜請求項７までのいずれかに係る前記手段における本体ケーシングの室内側には、室内の空気を循環させる循環用送風機を設ける手段を採用する。
【００１７】
前記課題を達成するために請求項９の発明は、請求項１〜請求項７までのいずれかに係る前記手段における本体ケーシングの室内側には、室内の空気を循環させる循環用送風機を着脱可能に設ける手段を採用する。
【００１８】
前記課題を達成するために請求項１０の発明は、請求項１〜請求項８までのいずれかに係る前記手段における除湿器を、除湿運転においては運転開始時には必ず再生用通路の開放による再生から始まるようにする手段を採用する。
【００１９】
【発明の実施の形態】
次に本発明の実施の形態を図面に基づいて説明する。
実施の形態１．
図１〜図５によって示すこの実施の形態の静止型除湿装置は、可逆的な吸放湿機能をもった図１に示すような構造の静止型の除湿器１を利用し、図２に示すようにして室内の除湿を行なうものである。この静止型除湿装置に適用される除湿器１は、図１に示すようにセラミックス等の無機質繊維にシリカゲル等の吸湿剤を重合反応を利用して、結合させたコルゲート構造材やハニカム構造材を積層して、処理空気を通す直線状の多数の通路２が全体にわたって分布する直方体状に構成したものである。各通路２は平行状でそれらの開口端は全て除湿器１の対向する二面に開口している。
【００２０】
上記した構成の除湿器１は、箱型の本体ケーシング３内に構成された通風路４内に組込まれている。本体ケーシング３は、図４に示すように建物の室内外を仕切る壁体５に開けた標準的な寸法（１５０ｍｍ×２００ｍｍ）の換気開口部６の口枠に室内側から挿通させうる大きさに構成されている。通風路４は、本体ケーシング３内を上下に仕切る仕切板７により上下二層状に形成され、その入口端８は本体ケーシング３の室内側となる一側部側の上部において室内に開口し、フィルター９を通じて上層の通風路４に連絡している。上層の通風路４は本体ケーシング３の室外側となる他側部側に組込まれた送風機１０の吸込口１１に連絡し、送風機１０の吹出口１２を経て下層の通風路４に連絡している。通風路４の出口端１３は、下層の通風路４に臨み、本体ケーシング３の室内側となる一側部側の側面において室内に開口する。
【００２１】
下層の通風路４の送風機１０側は仕切板１４により送風機室１５と区切られ、その内面には断熱材１６が内張りされている。下層の通風路４の送風機１０の吹出口１２に連絡する部分に、除湿器１がその通路２に送風機１０による気流が通過できるように横断状に組込まれている。なお、除湿器１と通風路４の壁面との間は気密が保持されている。除湿器１と出口端１３との間の通風路４には当該部を通過する気流を加熱する加熱手段としてのヒーター１７が組込まれている。さらにヒーター１７と出口端１３との間の通風路４には多数の小孔が開けられた気流を均一化するための均一板１８が介在されている。下層の通風路４の脇にはその送風機１０の吹出口１２の臨む部分から均一板１８と出口端１３の間を連絡する再生用通路１９が形成されている。この再生用通路１９の送風機１０の吹出口１２が臨む入口部には、図５に示すように通常はコイルバネ２０の付勢により閉じていて、コイルバネ２０の付勢に勝る風圧が作用すると開放するバネ付勢式の開閉ダンパ２１が装着されている。
【００２２】
通風路４の除湿器１と送風機１０の吹出口１２との間には、切換ダンパ２２により開閉でき、本体ケーシング３の送風機室１５から室外側の側部において室外へ連絡する排気通路２３が形成されている。この切換ダンパ２２は除湿器１側への通風路４を閉止し、排気通路２３を開放する図２におけるＡ位置と、除湿器１側への通風路４を開放し、排気通路２３を閉止する図２におけるＢ位置と、除湿器１側への通風路４を開放し、排気通路２３も開放する図２におけるＣ位置とに切換えることができる。
【００２３】
この静止型除湿装置は、図４に示すように例えば浴室２４等の室内外を仕切る壁体５に開けた標準的な寸法の換気開口部６の口枠に室内側から挿通させ、通常の換気扇と同様の仕方で容易に取付けることができる。浴室２４側には通風路４の入口端８と出口端１３が、室外側には送風機室１５がそれぞれ臨むことになり、浴室２４側への運転騒音は少なく、また、室内外の突出部分の嵩も小さく建物の外観性を損なうことも少ない。そして、切換ダンパ２２を切換え除湿過程と再生過程とを交互に繰り返えさせることにより除湿機能を果たさせることができる。除湿過程は、切換ダンパ２２をＢ位置にして浴室２４内の空気を送風機１０により吸込み、上層の通風路４から下層の通風路４を経て除湿器１に通過させて除湿して浴室２４内へ戻す過程である。再生過程は、切換ダンパ２２をＡ位置にして送風機１０により吸込んだ室内の空気を再生用通路１９を経てヒーター１７で１４０℃程度に加熱した後、除湿器１に反対側から通過させて室外へ排出する過程である。ヒーター１７部分の通風路４は断熱構造となっているので周囲への放熱は少なく加熱効率は良い。
【００２４】
除湿過程と再生過程とを交互に繰り返えさせる除湿運転においては運転開始時には必ず再生用通路１９の開放による除湿器１の再生から始まるように制御される。こうすることにより停止状態で吸湿し、除湿能力の低下している除湿器１の状態から除湿運転をスタートすることがなく、除湿機能が安定することになる。また、停止状態で吸湿とともに臭気物質も吸着している除湿器１の臭気を再生過程による排気により予め室外へ放出させることもでき、使用感も向上する。
【００２５】
この実施の形態の静止型除湿装置の特徴の一つは、除湿過程と再生過程での除湿器１への室内の空気の通過方向を反対にしたことである。この種の除湿器１の吸湿能力は温度に影響され、温度が低い程吸湿能力が高い特性を有するが、除湿過程と再生過程での除湿器１を流れる気流の向きが同一方向であると、再生過程から除湿過程へ移行する際には、いつも再生過程で高温になった側から除湿過程での空気流が流れ込むことになり、除湿器の上記した特性を生かし切れない。これに対して、除湿過程と再生過程での除湿器１への室内の空気の通過方向を反対向き、即ち対向流的にすると、再生過程を経た除湿器１の除湿過程での流入側の温度の高温化を防止することができ、除湿器１の除湿性能を引き出すことができ、エネルギー効率を上げることができる。
【００２６】
除湿過程の時間は再生過程の時間より若干短く設定され、気流の方向の反転は、切換ダンパ２２の切換えによる風路の切換えにより行なわれる。切換ダンパ２２をＡ位置に切換えると、送風機１０による風圧が再生用通路１９を閉止していた開閉ダンパ２１のコイルバネ２０の付勢力に勝ることになり、開閉ダンパ２１が開放され再生用通路１９が開放される。再生用通路１９から通風路４に流入した浴室２４内の空気の一部は通風路４の出口端１３から浴室２４内に吹出され、他の一部は均一板１８を通過してヒーター１７で加熱された後、除湿器１を通過して排気通路２３を経て室外へ排気される。再生用通路１９を経た一部の浴室２４の空気は、上述のように出口端１３から浴室２４内へ戻り、多くはないが浴室２４内に循環流を形成する。従って、再生過程でも浴室２４内の乾燥が或程度はなされることになる。
【００２７】
浴室２４内に衣類等の被乾燥物２５を吊してこれらを乾燥させる場合、より乾燥の度合いの高い乾燥雰囲気にする方が乾燥時間は短くなる。しかし、被乾燥物２５から奪い取った水分を被乾燥物２５から速やかに引き離して排除することも乾燥時間の短縮に繋がる重要な要素でもある。この静止型除湿装置では再生過程でも上述のように一部の空気が循環し、また、排気により剥ぎ取った水分の屋外への排出が行なわれるので、被乾燥物２５からの水分の引き離しが速やかに行なわれ、乾燥時間が短縮する。
【００２８】
この実施の形態の静止型除湿装置によれば、除湿器１の機能性を高めうるばかりでなく、下層の通風路４が断熱構造になっているので再生過程で使うヒーター１７を使い、暖房を行なうこともできる。即ち、除湿過程と同じ方向の気流を通風路４に形成し、ヒーター１７を動作させれば暖気の室内への吹出しによる暖房が実現する。この時、再生過程で使うヒーター１７は除湿器１の下流側に位置することになるので、加熱した気流が除湿器１を通過しないので、除湿器１に熱を奪われることもなく、その寿命を短くしたりすることもないうえ、前述したような理由により除湿過程へ円滑に移行することができる。
【００２９】
また、上述のように再生過程では、室内の空気を排気するので室内の換気も実施されるが、除湿器１を通過させるため小風量の換気しか期待できず、大風量での換気が必要な場合には対応できない。この静止型除湿装置では、切換ダンパ２２をＣ位置に切換え、送風機１０の吹出口１２を排気通路２３に臨ませることにより、送風機１０から吹出される室内の空気を除湿器１を殆ど経ないで排気通路２３から室外へ排気することができる。即ち、必要により大風量の換気も簡単に行なうことができる。
【００３０】
実施の形態２．
図６，７，８はこの実施の形態の静止型除湿装置を示したものである。この静止型除湿装置は実施の形態１で示した静止型除湿装置のコンパクト化を除湿器１の構成により推進したものであり、除湿器１に係る構成以外は実施の形態１のものと同じである。従って、実施の形態１のものと同じ部分については、実施の形態１のものと同じ符号を用い、それらについての説明は省略する。
【００３１】
実施の形態１の図１に示したような通路２に直交する横方向寸法が、通路２に平行な縦方向寸法より長い六面体の除湿器１は、その縦、横、高さの寸法に応じた組込み部分の寸法が必要である。この実施の形態の除湿器１は、図１の除湿器１を縦方向又は高さ方向で二分割に構成し、それらを屏風状に送風機１０側に開脚するようなくの字に配列させて通風路４を横断させたものである。この構成を採用することにより通風路４の長さは若干長めになるが幅方向又は高さ方向の寸法は小さくできる。除湿器１の吸湿・放湿機能も縦方向で二分割に構成した場合には、通路２の通風路４に臨む面積が増すため向上するうえ、通路２の長さも短くなるため圧力損失も小さくなる。このように除湿器１を分割構成にする仕方は、図８に示すように除湿器１を複数個に分割し、それらを屏風状に配列させて通風路４を横断させるようにしても有効である。これ以外の機能及び利点は実施の形態１のものと同じである。
【００３２】
実施の形態３．
図９，１０はこの実施の形態の静止型除湿装置を示したものである。この静止型除湿装置は、実施の形態１，２で示した静止型除湿装置の衣類等の被乾燥物２５に対する乾燥機能の向上を図ったものであり、基本的な構成は実施の形態１，２のものと同じである。従って、実施の形態１，２のものと同じ部分については、実施の形態１，２のものと同じ符号を用い、それらについての説明は省略する。
【００３３】
図９に示す静止型除湿装置は、本体ケーシング３の室内側に、室内の空気を吸込み室内へ吹出す循環用送風機２６を設けたものである。循環用送風機２６の運転により例えば浴室２４に循環流が形成され、衣類等に当る風速を速くすることができるので乾燥速度を速くすることができる。従って、急いで乾燥させたい場合に有効であり、ヒーター１７の稼動時間も短くできるので省エネ効果もあがる。換気開口部６は小さく、送風機１０の風量を多くすることは、送風機１０の能力から限界があるが、除湿器１の除湿能力は風量に対する依存度が少なく、除湿器１の前面風速（１ｍ／ｓ）位の所に最適風速があるので、除湿器１を通る風量を少なくしても良く、その代わりに衣類等からの水分の蒸発を循環用送風機２６の風量により促進することができる。循環用送風機２６については、図１０に示すようにブラケット２７とネジ等により着脱可能に装着し、長めのリード線２８を具備させておくことにより、浴室２４等の内壁面の任意の場所に循環用送風機２６を配置することができ、衣類等にむらなく風を当てるようにすることにより乾燥効果をあげることができる。
【００３４】
【発明の効果】
以上説明したとおり請求項１の発明によれば、動シールや回転機構部の不要な静止型の除湿器を用いたコンパクトで取付性の良い静止型除湿装置が得られ、除湿器の除湿機能をより良く引き出すことができる。
【００３５】
請求項２の発明によれば、請求項１に係る前記効果とともに、その取付性が一層向上する。
【００３６】
請求項３の発明によれば、請求項１又は請求項２のいずれかに係る前記効果とともに除湿器に関する圧力損失を軽減できる。
【００３７】
請求項４の発明によれば、請求項１又は請求項２のいずれかに係る前記効果とともに除湿器に関する圧力損失を軽減でき、小型化を推進できる。
【００３８】
請求項５の発明によれば、請求項１〜請求項４までのいずれかに係る前記効果とともに大風量での換気が可能になる。
【００３９】
請求項６の発明によれば、請求項１〜請求項５までのいずれかに係る前記効果とともに放熱ロスを少なくでき、加熱手段による暖房も実施できる。
【００４０】
請求項７の発明によれば、請求項１〜請求項６までのいずれかに係る前記効果とともに再生用通路の開閉が簡素な構成で実現できる。
【００４１】
請求項８の発明によれば、請求項１〜請求項７までのいずれかに係る前記効果とともに乾燥時間が短縮し、乾燥機能が向上する。
【００４２】
請求項９の発明によれば、請求項１〜請求項７までのいずれかに係る前記効果とともに乾燥時間が短縮し、乾燥機能がより向上する。
【００４３】
請求項１０の発明によれば、請求項１〜請求項８までのいずれかに係る前記効果とともに、除湿機能を安定化でき、使用感も向上する。
【図面の簡単な説明】
【図１】  実施の形態１の静止型除湿装置に使用する静止型の除湿器を示す斜視図である。
【図２】  実施の形態１の静止型除湿装置の横断面構成図である。
【図３】  実施の形態１の静止型除湿装置の縦断面構成図である。
【図４】  実施の形態１の静止型除湿装置を設置状態で示す説明図である。
【図５】  実施の形態１の静止型除湿装置の開閉ダンパの構成を示す拡大断面図である。
【図６】  実施の形態２の静止型除湿装置の横断面構成図である。
【図７】  実施の形態２の静止型除湿装置の縦断面構成図である。
【図８】  実施の形態２の静止型除湿装置の除湿器の他の構成を示す説明図である。
【図９】  実施の形態３の静止型除湿装置の縦断面構成図である。
【図１０】  実施の形態３の静止型除湿装置を設置状態で示す説明図である。
【図１１】  従来の乾燥装置の構成を示す断面図である。
【符号の説明】
１  除湿器、  ２  通路、  ３  本体ケーシング、  ４  通風路、  ６  換気開口部、  ８  入口端、  １０  送風機、  １３  出口端、  １６  断熱材、  １７  ヒーター、  １９  再生用通路、  ２０  コイルバネ、  ２１  開閉ダンパ、  ２２  切換ダンパ、  ２３  排気通路、  ２６  循環用送風機。
【図１】
0003747569.tif 000002
【図２】
0003747569.tif 000003
【図３】
0003747569.tif 000004
【図４】
0003747569.tif 000005
【図５】
0003747569.tif 000006
【図６】
0003747569.tif 000007
【図７】
0003747569.tif 000008
【図８】
0003747569.tif 000009
【図９】
0003747569.tif 000010
【図１０】
0003747569.tif 000011
【図１１】
0003747569.tif 000012